(57)【要約】【課題】  フロアマット等の毛足の長い毛材の深部に付着している塵埃を掻き出すことができると共に、自動車等に備えられている出力の小さい電源を使用する場合においても塵埃を吸引するための十分な吸引力を確保することができる電気掃除機を提供する。【解決手段】  電気掃除機１０は、電動送風機２と集塵室３とを備えた掃除機本体１と、この掃除機本体１に固定されると共に、一端が集塵室３に連通し、他端の少なくとも先端部近傍が細管形状であって、弾性部材からなる吸引管５と、この吸引管５の開口近傍に配置され、軸受６ａにより回転自在に支持された回転清掃体６とを有し、掃除機本体１への吸引は、吸引管５からのみ吸引可能であって、回転清掃体６は、被清掃面から吸引管５の開口方向に向けて回転する構成とした。【選択図】図１
2019126346.tif 000002
【特許請求の範囲】
【請求項１】
電動送風機と集塵室とを備えた掃除機本体と、
前記掃除機本体に固定されると共に、一端が前記集塵室に連通し、他端の少なくとも先端部近傍が細管形状であって、弾性部材からなる吸引管と、
前記吸引管の開口近傍に配置され、軸受により回転自在に支持された回転清掃体と、
を有し、
前記掃除機本体への吸引は、前記吸引管からのみ吸引可能であって、
前記回転清掃体は、被清掃面から前記吸引管の開口方向に向けて回転することを特徴とする電気掃除機。
【請求項２】
回転清掃体の少なくとも三方を囲むように、弾性部材からなる飛散防止手段が設置されていることを特徴とする請求項１に記載の電気掃除機。
【請求項３】
清掃時の往路側に吸引管が配置され、復路側に回転清掃体が配置されていることを特徴とする請求項１又は２に記載の電気掃除機。
【請求項４】
吸引管の先端部は、清掃時の往路側と復路側に各々被清掃面に対して傾斜角を有する傾斜開口部を備えており、往路側の前記傾斜開口部の開口面積は、復路側の前記傾斜開口部の開口面積よりも大きいことを特徴とする請求項３に記載の電気掃除機。
【請求項５】
吸引管は、掃除機本体と弾性部材からなる弾性体により連結され、回転清掃体より突出可能であると共に、
前記弾性体によって、前記吸引管の先端は、被清掃面側に付勢されていることを特徴とする請求項１〜４のいずれか１項に記載の電気掃除機。
【請求項６】
回転清掃体は、回転軸を有し、該回転軸の長手方向中央部が軸受によって軸支されていることを特徴とする請求項１〜５のいずれか１項に記載の電気掃除機。
【発明の詳細な説明】
【技術分野】
【０００１】
本発明は、集塵室と電動送風機とを備えた掃除機本体と、吸引管とを有し、被清掃面に付着している塵埃等を吸引除去する為の電気掃除機に関するものである。
【背景技術】
【０００２】
従来から、被清掃面に付着している塵埃等を吸引除去する為に複数の吸引管を備えた電気掃除機が知られている（特許文献１）。
【０００３】
特許文献１の電気掃除機は、吸引管を使用しており、吸引管は開口面積が小さいことから、サッシの溝又はソファーの隙間等の比較的狭い清掃箇所のゴミを効率良く吸い込み掃除できる特徴を備えていた。その一方で、フロアマット等の毛足の長い毛材の中間部に付着している砂等の塵埃を掻き出すことは容易ではなかった。
【０００４】
上記課題を解決するため、特許文献２に記載の電気掃除機が開発されている。この電気掃除機は、吸込口の前方に回転清掃体を備え、後方に吸引管を備える構成となっており、回転清掃体によって、フロアマット等の毛足の長い毛材の中間部に付着している砂等の塵埃を掻き出すことができるものであった。
【先行技術文献】
【特許文献】
【０００５】
【特許文献１】登録実用新案第３２００３３９号公報
【特許文献２】実公昭５５−３４０３１号公報
【発明の概要】
【発明が解決しようとする課題】
【０００６】
しかしながら、上記特許文献２に記載の電気掃除機は、フロアマット等の毛足の長い毛材の深部に付着した塵埃の除去は吸引管からの吸引力に頼らざるを得ず、吸込口の開口面積が大きいことから、例えば自動車等に備えられている出力の小さい電源を使用する場合において、吸引管における十分な吸引力を確保することが難しいという課題を有していた。
【０００７】
本発明は、前記従来の課題を解決するものであり、狭い清掃箇所を効率よく掃除でき、フロアマット等の毛足の長い毛材の深部に付着している塵埃を掻き出し効率よく吸引できると共に、自動車等に備えられている出力の小さい電源を使用する場合においても塵埃を吸引するための十分な吸引力を確保し、高い清掃効果を発揮することができる電気掃除機を提供することを目的とする。
【課題を解決するための手段】
【０００８】
前記従来の課題を解決するために、請求項１の電気掃除機の発明は、電動送風機と集塵室とを備えた掃除機本体と、前記掃除機本体に固定されると共に、一端が前記集塵室に連通し、他端の少なくとも先端部近傍が細管形状であって、弾性部材からなる吸引管と、前記吸引管の開口近傍に配置され、軸受により回転自在に支持された回転清掃体と、を有し、前記掃除機本体への吸引は、前記吸引管からのみ吸引可能であって、前記回転清掃体は、被清掃面から前記吸引管の開口方向に向けて回転することを特徴としている。
【０００９】
請求項１の発明では、掃除機本体への吸引を吸引管からのみ吸引可能としたので、自動車等に備えられている出力の小さい電源を使用する場合においても塵埃を吸引するための十分な吸引力を確保することができる。また、回転清掃体を吸引管の開口近傍に配置すると共に、被清掃面から吸引管の開口方向に向けて回転するようにしたので、フロアマット等の毛足の長い毛材の深部に付着している塵埃を掻き出すことができると共に、掻き出された塵埃を効率よく吸引管によって吸引することができる。
【００１０】
請求項２の発明は、請求項１の電気掃除機の発明において、回転清掃体の少なくとも三方を囲むように、弾性部材からなる飛散防止手段が設置されていることを特徴としている。したがって、回転清掃体で掻き出した塵埃の周囲への飛散を防止することができるので安全性を高くすることができると共に、吸引管が吸い残した塵埃を掻き集めることができ、清掃効率を高くすることができる。
【００１１】
請求項３の発明は、請求項１又は２の電気掃除機の発明において、清掃時の往路側に吸引管が配置され、復路側に回転清掃体が配置されていることを特徴としている。したがって、小石等の大きな塵埃を前方の吸引管であらかじめ除去することができるので、後方の回転清掃体で大きな塵埃を飛散させることが少なく、安全性を高くすることができる。また、往路側の吸引管がフロアマット等の毛足の長い毛材を押し倒し又はかき分けることで、復路側の回転清掃体がより深部まで侵入し付着している塵埃を掻き出すことができるため、清掃効率を高くすることができる。
【００１２】
請求項４の発明は、請求項３の電気掃除機の発明において、吸引管の先端部は、清掃時の往路側と復路側に各々被清掃面に対して傾斜角を有する傾斜開口部を備えており、往路側の前記傾斜開口部の開口面積は、復路側の前記傾斜開口部の開口面積よりも大きいことを特徴としている。したがって、掃除機本体を傾けて使用した場合でも、吸引管の傾斜開口部が被清掃面に臨むため、塵埃を吸引することができる。また、掃除機本体の往復移動時に、吸引管が塵埃を引きずること無く吸引することができる。さらに、吸引管の傾斜開口部は、往路側から小石等の大きな塵埃を吸引し、復路側から砂等の小さな塵埃を吸引することができるので、過度に開口面積を広げること無く清掃効率を高めることができる。
【００１３】
請求項５の発明は、請求項１〜４のいずれかの電気掃除機の発明において、吸引管は、掃除機本体と弾性部材からなる弾性体により連結され、回転清掃体より突出可能であると共に、前記弾性体によって、前記吸引管の先端は、被清掃面側に付勢されていることを特徴としている。したがって、掃除機本体を被清掃面に対して垂直な方向から被清掃面側に傾けて使用した場合でも吸引管の先端を被清掃面に当接させることができるので、操作性を良好にすることができると共に、清掃効率を高めることができる。
【００１４】
請求項６の発明は、請求項１〜５のいずれかの電気掃除機の発明において、回転清掃体は、回転軸を有し、該回転軸の長手方向中央部が軸受によって軸支されていることを特徴としている。したがって、回転清掃体の長手方向の両端部を被清掃面に当接させることができ、自動車内等の狭い箇所の清掃時において、隙間や壁際等に回転清掃体を寄せることができるので、清掃範囲を広げることができる。
【発明の効果】
【００１５】
請求項１の電気掃除機の発明は、出力の小さい電源を使用する場合においても塵埃を吸引するための十分な吸引力を確保することができる。また、フロアマット等の毛足の長い毛材の深部に付着している塵埃を掻き出すことができると共に、掻き出された塵埃を効率よく吸引管によって吸引することができる。また、請求項２〜４の発明は、安全性を高くすることができると共に、清掃効率を高くすることができる。
【００１６】
また、請求項５の発明は、電気掃除機の操作性を高めることができると共に、清掃効率を高くすることができる。さらに、請求項６の発明は、自動車内等の狭い箇所の清掃時において、隙間や壁際等に回転清掃体を寄せることができるので、清掃範囲を広げることができる。
【図面の簡単な説明】
【００１７】
【図１】本発明に係る電気掃除機の第１実施形態を示す斜視図
【図２】（ａ）第１実施形態の電気掃除機の正面図（ｂ）同底面図
【図３】第１実施形態の電気掃除機の部分断面図
【図４】（ａ）及び（ｂ）図２のＡ−Ａ断面図
【図５】（ａ）〜（ｅ）吸引管の先端部の形状の実施例を示す正面図
【図６】本発明に係る電気掃除機の第２実施形態を示す斜視図
【図７】図６のＢ−Ｂ断面図
【図８】第２実施形態の電気掃除機の掃除機本体を傾斜させた場合を示す断面図
【図９】第２実施形態の電気掃除機の弾性体を圧縮させた状態を示す断面図
【発明を実施するための形態】
【００１８】
以下、本発明の実施形態について、図面を参照しながら説明する。なお、この実施の形態によって本発明が限定されるものではない。
【００１９】
図１は、本発明に係る電気掃除機の第１実施形態を示す斜視図であり、図２（ａ）は、同正面図、図２（ｂ）は、同底面図である。また、図３は、第１実施形態の電気掃除機の部分断面図である。これらの図を用いて本発明に係る電気掃除機の第１実施形態を以下に説明する。
【００２０】
第１実施形態の電気掃除機１０は、電動送風機２と集塵室３とを備えた掃除機本体１と、掃除機本体１に固定されると共に、一端が集塵室３に連通し、他端の少なくとも先端部近傍が細管形状であって、弾性部材からなる複数の吸引管５、５・・と、この複数の吸引管５、５・・の開口近傍に配置され、軸受６ａにより回転自在に支持された回転清掃体６とを有している。
【００２１】
電源スイッチ１ａは、掃除機本体１に備えられた持ち手１ｂに設置されており、電動送風機２は電源に接続される電源コード２ａから電気が供給され、電源スイッチ１ａのＯＮ及びＯＦＦにより起動及び停止がなされる。また、集塵室３は外部から内部の塵埃が視認可能となるよう透明部材で出来ており、フィルタ４を備えている。
【００２２】
回転清掃体６は、回転軸６ｂを有しており、回転軸６ｂにはブラシ又はブレード６ｃが固定されている。また、回転軸６ｂの長手方向中央部が軸受６ａによって軸支されている。また、図３に示すように、モータ９は、モータカバー９ａ内に設置されており、モータ９の回転力はプーリー１１ａに架けられているタイミングベルト１１ｂを介して回転軸６ｂに伝えられる。そして、電源スイッチ１ａのＯＮ及びＯＦＦにより回転清掃体６の回転及び停止がなされる構成としている。ここで、軸受６ａを回転軸６ｂの長手方向中央部に配置したことにより、回転清掃体６の長手方向の両端部を被清掃面に当接させることができ、自動車内等の狭い箇所の清掃時において、隙間や壁際等に回転清掃体を寄せることができるので、清掃範囲を広げることができる。尚、軸受を回転清掃体６の両端部に設置した場合も本発明に含まれる。
【００２３】
回転清掃体６の周囲には、回転清掃体６の少なくとも三方を囲むように、弾性部材からなる飛散防止手段７が設置されている。飛散防止手段７は、回転清掃体６で掻き出した塵埃の周囲への飛散を防止することができるので安全性を高くすることができると共に、吸引管５が吸い残した塵埃を掻き集めることができ、清掃効率を高くすることができる。また、飛散防止手段７には複数のスリット７ａ、７ａ・・が形成されており、このスリット７ａによって飛散防止手段７の変形を容易にしている。第１実施形態の飛散防止手段７は、ブレード状のものを示しているが、ブラシ状であってもよい。また、飛散防止手段７の被清掃面と接触する先端部は、直線状に限定されず、波形状、山形状、のこぎり刃形状等の種々の形状を選択することもできる。また、飛散防止手段７は、三方を一つの部材で囲むことも可能であるが、掃除機本体１を被清掃面に対して垂直方向から傾斜させて使用する場合の変形を考慮すると、各方面に対して各々別体の飛散防止手段７を設置するのが好ましい。
【００２４】
掃除機本体１への吸引は、吸引管５からのみ吸引可能な構成としている。これにより、自動車等に備えられている出力の小さい電源を使用する場合においても塵埃を吸引するための十分な吸引力を確保することができる。
【００２５】
また、回転清掃体６は、吸引管５の開口近傍に配置されていると共に、被清掃面から吸引管５の開口方向に向けて回転する構成としている。これにより、フロアマット等の毛足の長い毛材の深部に付着している塵埃を掻き出すことができると共に、掻き出された塵埃を効率よく吸引管によって吸引することができる。
【００２６】
図４（ａ）は、図２のＡ−Ａ断面図であり、電気掃除機の進行方向が白抜き矢印で示す往路時の場合を図示しており、図４（ｂ）も図２のＡ−Ａ断面図であり、電気掃除機の進行方向が白抜き矢印で示す復路時の場合を図示している。これらの図を用いて第１実施形態の電気掃除機の清掃動作について以下に説明する。
【００２７】
吸引管５は清掃時に往路側となるよう配置され、復路側に回転清掃体６が配置されている。したがって、小石等の大きな塵埃を前方の吸引管５であらかじめ除去することができるので、後方の回転清掃体６で大きな塵埃を飛散させることが少なく、安全性を高くすることができる。また、往路側の吸引管がフロアマット等の毛足の長い毛材を押し倒し又はかき分けることで、復路側の回転清掃体がより深部まで侵入し付着している塵埃を掻き出すことができるため、清掃効率を高くすることができる。尚、回転清掃体６は矢印で示すように図面上の時計回りに回転しており、被清掃面Ｃ上の小石や砂、汚泥、食べかす等の塵埃、及びフロアマット等の毛足の長い毛材の深部に付着している様々な塵埃を掻き出し、吸引管５に直接的に誘導することができる。
【００２８】
吸引管５の先端部は、清掃時の往路側と復路側に各々被清掃面Ｃに対して傾斜角を有する傾斜開口部５ａ、５ｂを備えており、往路側の傾斜開口部５ａの開口面積は、復路側の傾斜開口部５ｂの開口面積よりも大きくしている。したがって、掃除機本体１を傾けて使用した場合でも、吸引管５の傾斜開口部５ａ、５ｂが被清掃面Ｃに臨むため、塵埃を吸引することができる。
【００２９】
また、掃除機本体１の往復移動時に、吸引管５が塵埃を引きずること無く吸引することができる。さらに、吸引管５の傾斜開口部５ａ、５ｂは、往路側から小石等の大きな塵埃を吸引し、復路側から砂等の小さな塵埃を吸引することができるので、過度に開口面積を広げること無く清掃効率を高めることができる。尚、本第１実施形態では吸引管５が傾斜開口部５ａ、５ｂを有しているが、開口部が傾斜していない場合も被清掃面Ｃとの間にクリアランスがあれば塵埃を吸引することができ、本発明の構成に含まれる。
【００３０】
ここで、往路側の吸引管５の傾斜開口部５ａの高さ（吸引管５の長手方向の長さ）は、吸引力との関係から４ｍｍ〜２０ｍｍの範囲で適宜選択することができ、特に靴底の隙間に挟まる直径８ｍｍ程度の小石を吸引することができる高さが好ましい。また、復路側の傾斜開口部５ｂの高さ（吸引管５の長手方向の長さ）も２ｍｍ〜１０ｍｍの範囲で適宜選択することが可能であるが、回転清掃体６が掻き出した小さな小石や砂を効率よく吸引するため４ｍｍ程度の高さが好ましい。さらにまた、吸引管５の内径は傾斜開口部５ａの高さと同一又はそれより大きく設計することで、往路側から吸引した小石を管内で詰まらせることなく、スムーズに吸引することができる。
【００３１】
ここで、復路側の吸引管５の傾斜開口部５ｂで吸引される塵埃は、回転清掃体６により飛ばされた小石や砂等の塵埃であって飛散防止手段７により受け止められた塵埃や、飛散防止手段７により掻き集められた塵埃と、往路時に吸引管５で吸い取れなかった塵埃が含まれる。また、吸引管５を被清掃面Ｃに強く押し付けると、吸引管５の傾斜開口部５ｂが回転清掃体６側に近づくように変形すると共に、開口部がより回転清掃体６側に向くため、小石や砂等の塵埃を傾斜開口部５ｂに更に誘導することができる。
【００３２】
図５（ａ）〜（ｅ）は、吸引管の先端部の形状の実施例を示す正面図である。図５（ａ）に示す先端部が三角形状の吸引管１５は、毛足の長い被清掃面に内在する砂等の塵埃を掻き出すのに好適である。また、図５（ｂ）に示す先端部が丸形状の吸引管２５は、被清掃面との摩擦抵抗を低減させることができるので、電気掃除機の操作性を向上させることができる。また、図５（ｃ）に示す先端部がのこぎり刃形状の吸引管３５は、ブラシのように砂等の塵埃を掻き出すことができる。また、図５（ｄ）に示す先端部にスリットを有する吸引管４５は、開口面積が小さい為、吸引力を維持することができると共に、柔軟に砂等の塵埃を吸引することができる。また、図５（ｅ）に示す先端部の一方側に切欠き部を有する吸引管５５は、高さと幅の大きな塵埃を吸引することができる。
【００３３】
図６は、本発明に係る電気掃除機の第２実施形態を示す斜視図であり、図７は、図６のＢ−Ｂ断面図である。これらの図を用いて本発明に係る電気掃除機の第２実施形態を以下に説明する。
【００３４】
第２実施形態の電気掃除機２０は、複数の吸引管１２、１２・・が内部が空洞のホルダー１３に固定されており、ホルダー１３の内部で複数の吸引管１２、１２・・の内部が連通している。また、ホルダー１３と集塵室１６は、蛇腹が形成されて伸縮可能な吸引通路１４によって連通している。したがって、吸引管１２に吸引された塵埃は、ホルダー１３及び吸引通路１４を介して集塵室１６へと運ばれる構成としている。
【００３５】
ホルダー１３は、２本の細筒１８ｂ、１８ｂの一端に固定されており、細筒の１８ｂ、１８ｂの他端は、太筒１８ａ、１８ａの内部に挿入されている。そして、太筒１８ａ、１８ａの一端は掃除機本体１９に固定されており、細筒の１８ｂ、１８ｂと太筒１８ａ、１８ａの外側にはバネからなる弾性体１７が設置されている。したがって、弾性体１７によって吸引管１２、１２・・の先端は被清掃面側に付勢する構成としている。尚、バネに替えて例えば伸縮可能なゴムなど他の弾性部材を使用することもできる。
【００３６】
また、弾性体１７と吸引管１２、１２・・の可動範囲を規制するため、各々に連結するホルダー１３を軸受６ａに対して一定範囲で可動するよう、別部材でホルダー１３と軸受６ａと連結させてもよい。その他、太筒１８ａ、１８ａの内周面端部及び細筒１８ｂ、１８ｂの外周面端部に突起を設け、弾性体１７が伸長する際に互いに抜け留めとなるよう設計することで可動範囲を規制することもできる。
【００３７】
図７において、ホルダー１３は吸引管１２を弾性体１７により可動させる基台として設けられているが、回転清掃体６の往路側を覆うよう配置することで、掻き出した塵埃の飛散を防止する役割も果たす。また、ホルダー１３に代えて結束バンドや接着剤等の固定手段により吸引管１２を固定させてもよく、吸引管１２、１２・・・を隙間なく隣接させることで、より往路側への塵埃の飛散を防止し、安全性を高めることができる。
【００３８】
図８は、第２実施形態の電気掃除機の掃除機本体を、被清掃面に対して垂直方向から４５度傾斜させた場合を示す断面図である。この状態では、回転清掃体６は被清掃面Ｃに当接しつつ回転しており、吸引管１２は、弾性体１７が伸縮することで傾斜開口部２１ｂが被清掃面に臨むようにして被清掃面側に付勢している。また、飛散防止手段７は、大きく変形することとなるので、各方面に対して各々別体の飛散防止手段７を設置するのが好ましい。さらにまた、使用者の実際の操作範囲及び弾性体の耐久性の観点から、付勢可能な掃除機本体の傾斜角度は垂直方向から４５度程度が望ましいが、それ以上に付勢可能な設計としても本発明に含まれる。かかる場合は、吸引管の開口が回転清掃体からより離れることで吸引効率が低下するため、回転清掃体又は軸受を中心として吸引管が回動する機構とすることにより解決される。以上より、掃除機本体を被清掃面に対して垂直な方向から被清掃面側に傾けて使用した場合でも吸引管の先端を被清掃面に当接させることができるので、操作性を良好にすることができると共に、清掃効率を高めることができる。
【００３９】
図９は、第２実施形態の電気掃除機の弾性体を圧縮させた状態を示す断面図である。この状態では弾性体１７は圧縮されており、細筒１８ｂは太筒１８ａの内部に収容された状態となっている。また、吸引通路１４は、蛇腹にて形成されているので、伸縮することができる。そして、図９に示すように、吸引通路１４を往路側に配置することによって、回転清掃体６の長手方向の両端部を壁際まで寄せることが可能となる。また、吸引通路１４を掃除機本体１９の側面側に配置した場合には、往路側に在る被清掃面Ｃに付着している砂や小石を視認し易くすることができる。
【産業上の利用可能性】
【００４０】
本発明に係る電気掃除機は、被清掃面に付着している塵埃等を吸引除去する為の清掃具として利用される。
【符号の説明】
【００４１】
１、１９  掃除機本体
１ａ  電源スイッチ
１ｂ  持ち手
２  電動送風機
２ａ  電源コード
３、１６  集塵室
４  フィルタ
５、１２、１５、２５、３５、４５、５５  吸引管
５ａ、５ｂ、２１ａ、２１ｂ  傾斜開口部
６  回転清掃体
６ａ  軸受
６ｂ  回転軸
６ｃ  ブラシ又はブレード
７  飛散防止手段
７ａ  スリット
９  モータ
９ａ  モータカバー
１０、２０  電気掃除機
１１ａ  プーリー
１１ｂ  タイミングベルト
１３  ホルダー
１４  吸引通路
１７  弾性体
１８ａ  太筒
１８ｂ  細筒
【図１】
2019126346.tif 000003
【図２】
2019126346.tif 000004
【図３】
2019126346.tif 000005
【図４】
2019126346.tif 000006
【図５】
2019126346.tif 000007
【図６】
2019126346.tif 000008
【図７】
2019126346.tif 000009
【図８】
2019126346.tif 000010
【図９】
2019126346.tif 000011